(57)【要約】【課題】ケーブルガイドを備えた通信装置において、表示部を容易に視認可能な通信装置を提供する。【解決手段】筐体２と、筐体２の前面に設けられた複数のポート３と、ポート３毎に設けられ、対応するポート３の状態を表示する表示部４と、筐体２の前面側に設けられ、ポート３に接続されるケーブルを掛けるためのケーブルガイド５と、を備え、ケーブルガイド５に、表示部４が設けられている。【選択図】図１
2017139542.tif 000002
【特許請求の範囲】
【請求項１】
筐体と、
前記筐体の前面に設けられた複数のポートと、
前記ポート毎に設けられ、対応する前記ポートの状態を表示する表示部と、
前記筐体の前面側に設けられ、前記ポートに接続されるケーブルを掛けるためのケーブルガイドと、を備え、
前記ケーブルガイドに、前記表示部が設けられている、
通信装置。
【請求項２】
電源供給の有無を表示する電源表示部をさらに備え、
前記電源表示部が、前記ケーブルガイドに設けられている、
請求項１に記載の通信装置。
【請求項３】
前記表示部は、前記筐体には設けられていない、
請求項１または２に記載の通信装置。
【請求項４】
前記表示部は、対応する前記ポートのリンク状態および通信状態を表示するリンク・アクト表示部と、対応する前記ポートの通信速度を表示する通信速度表示部と、を有する、
請求項１乃至３の何れか１項に記載の通信装置。
【請求項５】
前記表示部と前記筐体内の回路基板とを接続する配線が、前記ケーブルガイドに内蔵されている、
請求項１乃至４の何れか１項に記載の通信装置。
【請求項６】
前記ケーブルガイドは、前記筐体の両側端部から前方に延出された１対の側壁と、前記側壁の前方の端部同士を連結する棒状のガイド部と、を有し、
前記ガイド部には、前記ガイド部の長さ方向に離間して、前記ケーブルを掛けるための複数の溝が前記長さ方向と垂直な方向に沿って形成されており、前記溝の間に形成された凸部に、前記表示部が設けられている、
請求項１乃至５の何れか１項に記載の通信装置。
【請求項７】
前記ケーブルガイドは、前記筐体の両側端部から前方に延出された１対の側壁と、前記側壁の前方の端部同士を連結する棒状のガイド部と、を有し、
前記ガイド部には、前記ケーブルを通す貫通孔が形成されており、前記ガイド部の前記貫通孔と重ならない位置に、前記表示部が設けられている、
請求項１乃至５の何れか１項に記載の通信装置。
【発明の詳細な説明】
【技術分野】
【０００１】
本発明は、通信装置に関する。
【背景技術】
【０００２】
従来、ネットワークスイッチやルータ等の通信装置において、各ポートのリンク状態等を発光ダイオードの発光により表示する表示部を備えたものが知られている（例えば、特許文献１参照）。表示部は、対応するポートの近傍（例えばポートの下側）に設けられるのが一般的である。
【先行技術文献】
【特許文献】
【０００３】
【特許文献１】特開２０１２−７４８４１号公報
【発明の概要】
【発明が解決しようとする課題】
【０００４】
ところで、通信装置として、ポート間（あるいは通信装置間）を接続するケーブルが垂れ下がらないように掛けるためのケーブルガイドを備えたものが知られている。ケーブルガイドは、ケーブルサポート治具とも呼称されるものである。
【０００５】
ケーブルガイドは、通信装置の前面側に設けられるのが一般的である。そのため、ケーブルガイドを備えた通信装置では、ケーブルガイドにケーブルを掛けた際に、表示部がケーブルやケーブルガイドに隠れてしまい、表示部が視認しにくくなってしまうおそれがあった。
【０００６】
そこで、本発明は、ケーブルガイドを備えた通信装置において、表示部を容易に視認可能な通信装置を提供することを目的とする。
【課題を解決するための手段】
【０００７】
本発明は、上記課題を解決することを目的として、筐体と、前記筐体の前面に設けられた複数のポートと、前記ポート毎に設けられ、対応する前記ポートの状態を表示する表示部と、前記筐体の前面側に設けられ、前記ポートに接続されるケーブルを掛けるためのケーブルガイドと、を備え、前記ケーブルガイドに、前記表示部が設けられている、通信装置を提供する。
【発明の効果】
【０００８】
本発明によれば、ケーブルガイドを備えた通信装置において、表示部を容易に視認可能な通信装置を提供できる。
【図面の簡単な説明】
【０００９】
【図１】本発明の一実施の形態に係る通信装置の斜視図である。
【図２】図１の通信装置において、表示部および表示部を制御する制御部を模式的に示した図である。
【図３】本発明の一変形例に係る通信装置の斜視図である。
【図４】（ａ），（ｂ）は、本発明の一変形例に係る通信装置の斜視図である。
【発明を実施するための形態】
【００１０】
［実施の形態］
以下、本発明の実施の形態を添付図面にしたがって説明する。
【００１１】
図１は、本実施の形態に係る通信装置の斜視図である。
【００１２】
図１に示すように、通信装置１は、筐体２と、筐体２の前面に設けられた複数のポート３と、ポート３毎に設けられ、対応するポート３の状態を発光により表示する表示部４と、筐体２の前面側に設けられ、ポート３に接続されるケーブル（不図示）を掛けるためのケーブルガイド５と、を備えている。
【００１３】
ここでは、一例として、通信装置１がネットワークスイッチである場合を説明するが、通信装置１はこれに限定されず、例えばルータ等であってもよい。
【００１４】
筐体２は、略直方体形状に形成され、その前面（フロントパネル）には、複数のポート３が整列して配置されている。図１では、８個のポート３を有する通信装置１を示しているが、ポート３の数はこれに限定されない。また、図１では、ポート３を一列に配置した場合を示しているが、ポート３が複数の列（例えば２列）にわたって配置されていてもよい。本実施の形態では、ポート３は、光トランシーバ接続用のポートを含んでいる。
【００１５】
筐体２の前面には、冷却用の外気を筐体２内に取り込むための通風口２ａが形成されている。本実施の形態では、ポート３の上側に複数の通風口２ａが形成されているが、通風口２ａの位置はこれに限定されない。
【００１６】
ケーブルガイド５は、筐体２の両側端部から前方に延出された１対の側壁５ａと、側壁５ａの前方の端部同士を連結する棒状（柱状）のガイド部５ｂと、を有している。ポート３に接続されたケーブル（例えば、光トランシーバから延出された光ケーブル）は、ケーブルガイド５の側壁５ａまたはガイド部５ｂに掛けられる。
【００１７】
側壁５ａは、例えばボルト固定により、筐体２に固定されている。ここでは、筐体２の前面に側壁５ａを固定した場合を示しているが、側壁５ａは、筐体２の側面に固定されていてもよい。
【００１８】
ガイド部５ｂは、通風口２ａへの外気取り込みを妨げないように、正面から見て通風口２ａと重ならない位置に設けられることが望ましい。つまり、ガイド部５ｂは、通風口２ａに対して高さ方向にずれた位置に設けられることが望ましい。なお、通風口２ａとガイド部５ｂとの間隔が、外気取り込みを妨げない程度に大きく設定されている場合には、ガイド部５ｂが正面から見て通風口２ａと重なる位置に設けられていてもよい。
【００１９】
また、図示していないが、ケーブルガイド５は、ケーブルを固定するためのフックを備えていてもよい。
【００２０】
表示部４は、発光ダイオード（ＬＥＤ）を有し、発光ダイオードの発光色や発光パターンにより、対応するポート３の状態を表示するように構成されている。なお、ここでいうポート３の状態とは、例えば、ポート３のリンク状態、通信状態、あるいは通信速度等を意味している。
【００２１】
本実施の形態では、表示部４は、対応するポート３のリンク状態および通信状態を表示するリンク・アクト表示部４ａ（ＬＩＮＫ／ＡＣＴ）と、対応するポート３の通信速度を表示する通信速度表示部４ｂ（ＳＰＥＥＤ）と、を有している。
【００２２】
なお、表示部４の具体的な構成はこれに限定されず、例えば、通信速度表示部４ｂが省略されていてもよい。また、表示部４は、通信状態の有無のみを表示するものであってもよいし、リンク状態ではなくケーブルの接続の有無のみを表示するものであってもよい。
【００２３】
図２に示すように、通信装置１は、各ポート３に接続された光トランシーバ２１から管理情報を取得し、各ポート３のリンク状態、通信状態、および通信速度を判定し、当該判定の結果に基づいて、各ポート３に対応する表示部４の制御を行うように構成されている。なお、図２では、１つのポート３の表示部４のみを示している。
【００２４】
具体的には、通信装置１は、各ポート３のリンク状態および通信状態を判定する通信状態判定部２２と、各ポート３の通信速度を判定する通信速度判定部２３と、を有している。通信状態判定部２２および通信速度判定部２３は、通信装置１に搭載されているスイッチＬＳＩや制御用ＩＣ等の集積回路、ソフトウェア、インターフェイス、メモリ等を適宜組み合わせて実現されている。
【００２５】
本実施の形態では、通信状態判定部２２は、各ポート３に接続された光トランシーバ２１から取得した管理情報を基に、各ポート３のリンク状態および通信状態を判定するように構成されている。通信状態判定部２２は、リンク状態および通信状態の判定結果に基づき、対応するポート３のリンク・アクト表示部４ａに制御信号を出力するように構成される。
【００２６】
通信状態判定部２２から出力された制御信号は、シフトレジスタ２４を介してリンク・アクト表示部４ａの発光ダイオード４１ａ，４２ａを駆動するＬＥＤドライバ２５に出力される。ＬＥＤドライバ２５は、入力された制御信号に基づき、対応する発光ダイオード４１ａ，４２ａを発光あるいは点滅させる。なお、シフトレジスタ２４は、発光ダイオード４１ａ、４２ａの数（通信状態判定部２２の入出力数）が少ない場合には、省略可能である。
【００２７】
本実施の形態では、リンク・アクト表示部４ａは、発光色が緑である第１発光ダイオード４１ａと、発光色が橙である第２発光ダイオード４２ａと、を有している。リンク・アクト表示部４ａは、発光色の異なる２つの発光ダイオード４１ａ，４２ａを用いて、例えば表１のようにリンク状態と通信状態を表示するように構成されている。
【００２８】
【表１】
2017139542.tif 000003
【００２９】
通信速度判定部２３は、各ポート３に接続された光トランシーバ２１から取得した管理情報を基に、各ポート３の通信速度を判定するように構成されている。通信速度判定部２３は、通信速度の判定結果に基づき、対応するポート３の通信速度表示部４ｂに制御信号を出力するように構成される。
【００３０】
通信速度判定部２３から出力された制御信号は、通信速度表示部４ｂの発光ダイオード４１ｂ，４２ｂを駆動するＬＥＤドライバ２５に出力される。ＬＥＤドライバ２５は、入力された制御信号に基づき、対応する発光ダイオード４１ｂ，４２ｂを発光あるいは点滅させる。
【００３１】
本実施の形態では、通信速度表示部４ｂは、発光色が緑である第３発光ダイオード４１ｂと、発光色が橙である第４発光ダイオード４２ｂと、を有している。通信速度表示部４ｂは、発光色の異なる２つの発光ダイオード４１ｂ，４２ｂを用いて、例えば表２のように通信速度を表示するように構成されている。
【００３２】
【表２】
2017139542.tif 000004
【００３３】
表２に示すように、本実施の形態では、ポート３に接続された光トランシーバ２１がＳＦＰ（Small Form Factor Pluggable）に対応したものであるか（ギガビットイーサネット規格に準拠したものであるか）、あるいはＳＦＰ＋に対応したものであるか（１０ギガビットイーサネット規格に準拠したものであるか）を、通信速度表示部４ｂに表示するように構成されている（イーサネットは登録商標）。
【００３４】
さて、本実施の形態に係る通信装置１では、ケーブルガイド５に表示部４が設けられている。本実施の形態では、表示部４は、ケーブルガイド５のガイド部５ｂの前面（筐体２と反対側の面）に設けられており、対応するポート３の前方に位置するようにそれぞれ設けられている。なお、通信装置１では、筐体２には表示部４が設けられていない。
【００３５】
表示部４をケーブルガイド５に設けることで、表示部４を筐体２の前面に設けた場合と比較して、表示部４がケーブルガイド５に掛けたケーブルやケーブルガイド５に隠れてしまうことが抑制され、表示部４が視認し易くなる。
【００３６】
表示部４と筐体２内の回路基板（不図示）とを接続する配線、すなわち発光ダイオード４１ａ，４１ｂ，４２ａ，４２ｂと対応するＬＥＤドライバ２５とを接続する配線は、当該配線の露出による外観の劣化を抑制するために、ケーブルガイド５に内蔵されることが望ましい。本実施の形態では、ケーブルガイド５を中空構造とし、ケーブルガイド５の中空部に配線を収容するように構成した。なお、表示部４と筐体２内の回路基板とを接続する配線としては、絶縁電線やフラットケーブル等のケーブル、あるいはこれらケーブルの端部にコネクタを一体に設けたコネクタ付きケーブルなどを用いることができる。
【００３７】
なお、本実施の形態では、ポート３毎に設けられた表示部４のみをケーブルガイド５に設ける場合について説明したが、これに限らず、電源供給の有無を表示する電源表示部についても、ケーブルガイド５に設けるように構成してもよい。
【００３８】
電源表示部は、電源供給の有無に加えて、通信装置１のサービス状態（インサービスの状態となっているか否か）を表示するように構成されていてもよい。また、電源表示部と別にサービス状態を表示するサービス状態表示部が備えられている場合には、当該サービス状態表示部もケーブルガイド５に設けられていてもよい。これにより、電源供給の有無やサービス状態もより視認し易くなる。
【００３９】
通信装置１では、ケーブルガイド５のガイド部５ｂに表示部４を設けているため、ガイド部５ｂにケーブルを掛けると、何等かの理由でケーブルを掛ける位置がずれた際に、表示部４を視認しにくくなるおそれがある。そこで、図３に示すように、ガイド部５ｂに溝５１を形成し、この溝５１にケーブルを掛けるように構成してもよい。
【００４０】
図３では、ガイド部５ｂには、ガイド部５ｂの長さ方向（幅方向）に離間して、ケーブルを掛けるための複数の溝５１が長さ方向と垂直な方向に沿って形成されている。表示部４は、溝５１の間に形成された凸部５２に設けられている。つまり、溝５１は、表示部４と重ならない位置に形成されている。
【００４１】
溝５１は、ケーブルの位置を規制し、ケーブルが表示部４と重なってしまわないようにケーブルを保持する役割を果たす。なお、ここでは、ガイド部５ｂの周方向の全体にわたって溝５１を形成しているが、ガイド部５ｂの周方向の一部のみ（例えば前面のみ）に溝５１を形成してもよい。
【００４２】
また、図４（ａ），（ｂ）に示すように、ガイド部５ｂにケーブルを通す貫通孔５３，５４を形成し、この貫通孔５３，５４にケーブルを通すように構成してもよい。この場合、表示部４は、ガイド部５ｂの貫通孔５３，５４と重ならない位置に設けられる。図４（ａ）では、ガイド部５ｂを奥行方向（前後方向）に貫通する貫通孔５３を設けた場合を示しており、図４（ｂ）では、ガイド部５ｂを高さ方向（上下方向）に貫通する貫通孔５４を設けた場合を示している。
【００４３】
なお、図４（ａ），（ｂ）では、各ポート３に接続するケーブルに共通の１つの貫通孔５３，５４を設ける場合を示しているが、例えば、貫通孔５３，５４を複数に分割し、分割した貫通孔のそれぞれにケーブルを通すように構成してもよい。
【００４４】
また、ケーブルガイド５の側壁５ａにケーブルを掛けるように構成したり、あるいは側壁５ａに貫通孔を設けてケーブルを通すように構成したりして、表示部４を設けたガイド部５ｂにケーブルを掛けないように構成することも可能である。
【００４５】
（実施の形態の作用及び効果）
以上説明したように、本実施の形態に係る通信装置１では、筐体２と、筐体２の前面に設けられた複数のポート３と、ポート３毎に設けられ、対応するポート３の状態を表示する表示部４と、筐体２の前面側に設けられ、ポート３に接続されるケーブルを掛けるためのケーブルガイド５と、を備え、ケーブルガイド５に、表示部４が設けられている。
【００４６】
つまり、本実施の形態に係る通信装置１では、従来筐体２の前面に設けられていた表示部４をケーブルガイド５に移動させている。
【００４７】
ケーブルガイド５に表示部４を設けることにより、表示部４を筐体２に設けた場合と比較して、表示部４がケーブルガイド５やケーブルに隠れてしまうことが抑制され、表示部４を容易に視認可能になる。
【００４８】
また、ケーブルガイド５に表示部４を設けることにより、従来筐体２に設けていた表示部４を省略することが可能になる。その結果、例えば、従来表示部４を設けていた位置に、新たな通風口を設けたり従来の通風口を拡大したりするなどして、通信装置１の冷却効率をより高めることが可能になる。また、従来表示部４を設けていた空間を利用して、光トランシーバ２１の冷却用のヒートシンク等の他の部材を設けたり、ポート３の数を増加させたりすることも可能になる。さらに、従来表示部４を設けていた空間を省略して通信装置１全体を小型化（例えば奥行のサイズを低減）することも可能になる。
【００４９】
（実施の形態のまとめ）
次に、以上説明した実施の形態から把握される技術思想について、実施の形態における符号等を援用して記載する。ただし、以下の記載における各符号等は、特許請求の範囲における構成要素を実施の形態に具体的に示した部材等に限定するものではない。
【００５０】
［１］筐体（２）と、前記筐体（２）の前面に設けられた複数のポート（３）と、前記ポート（３）毎に設けられ、対応する前記ポート（３）の状態を表示する表示部（４）と、前記筐体（２）の前面側に設けられ、前記ポート（３）に接続されるケーブルを掛けるためのケーブルガイド（５）と、を備え、前記ケーブルガイド（５）に、前記表示部（４）が設けられている、通信装置（１）。
【００５１】
［２］電源供給の有無を表示する電源表示部をさらに備え、前記電源表示部が、前記ケーブルガイド（５）に設けられている、［１］に記載の通信装置（１）。
【００５２】
［３］前記表示部（４）は、前記筐体（２）には設けられていない、［１］または［２］に記載の通信装置（１）。
【００５３】
［４］前記表示部（４）は、対応する前記ポート（３）のリンク状態および通信状態を表示するリンク・アクト表示部（４ａ）と、対応する前記ポート（３）の通信速度を表示する通信速度表示部（４ｂ）と、を有する、［１］乃至［３］の何れか１項に記載の通信装置（１）。
【００５４】
［５］前記表示部（４）と前記筐体（２）内の回路基板とを接続する配線が、前記ケーブルガイド（５）に内蔵されている、［１］乃至［４］の何れか１項に記載の通信装置（１）。
【００５５】
［６］前記ケーブルガイド（５）は、前記筐体（２）の両側端部から前方に延出された１対の側壁（５ａ）と、前記側壁（５ａ）の前方の端部同士を連結する棒状のガイド部（５ｂ）と、を有し、前記ガイド部（５ｂ）には、前記ガイド部（５ｂ）の長さ方向に離間して、前記ケーブルを掛けるための複数の溝（５１）が前記長さ方向と垂直な方向に沿って形成されており、前記溝（５１）の間に形成された凸部（５２）に、前記表示部（４）が設けられている、［１］乃至［５］の何れか１項に記載の通信装置（１）。
【００５６】
［７］前記ケーブルガイド（５）は、前記筐体（２）の両側端部から前方に延出された１対の側壁（５ａ）と、前記側壁（５ａ）の前方の端部同士を連結する棒状のガイド部（５ｂ）と、を有し、前記ガイド部（５ｂ）には、前記ケーブルを通す貫通孔（５３，５４）が形成されており、前記ガイド部（５ｂ）の前記貫通孔（５３，５４）と重ならない位置に、前記表示部（４）が設けられている、［１］乃至［５］の何れか１項に記載の通信装置（１）。
【００５７】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００５８】
本発明は、その趣旨を逸脱しない範囲で適宜変形して実施することが可能である。
【００５９】
例えば、上記実施の形態では、表示部４を対応するポート３の前方に位置するように設けたが、これに限らず、対応するポート３の前方からずれた位置に表示部４を設けてもよい。この場合、対応するポート３が認識し易いように、対応するポート３の番号を表示部４の近傍に付すとよい。
【００６０】
また、上記実施の形態では、筐体２に表示部４を設けなかったが、これに限らず、筐体２とケーブルガイド５の両方に表示部４を設けるように構成してもよい。
【００６１】
さらに、ガイド部５ｂを２本設け、一方のガイド部５ｂにケーブルを掛け、他方のガイド部５ｂに表示部４を設けるように構成することも可能である。
【符号の説明】
【００６２】
１…通信装置
２…筐体
２ａ…通風口
３…ポート
４…表示部
４ａ…リンク・アクト表示部
４ｂ…通信速度表示部
５…ケーブルガイド
５ａ…側壁
５ｂ…ガイド部
【図１】
2017139542.tif 000005
【図２】
2017139542.tif 000006
【図３】
2017139542.tif 000007
【図４】
2017139542.tif 000008